(57)【要約】【課題】ファンを取り付けるにあたり、該ファンにて生じる振動の収納ケースへの伝播を低減することで、当該振動により生じる制御素子の動作不良や雑音等といった問題を解決可能とした遊技機用制御装置、及び該遊技機用制御装置を搭載した遊技機を提供を提供する。【解決手段】収納ケース５０に開口を開設し、当該開口を介して収納ケース５０内へ風を送り込むためのファンユニット４５を収納ケース５０に取り付け、さらにファンユニット４５におけるファン本体４５ａと収納ケース５０との間にファン本体４５ａが生じる振動を緩衝するための緩衝部材を介在させた。【選択図】図５
2009039437.tif 000002
【特許請求の範囲】
【請求項１】
収納ケース内に、遊技に係る制御を行う種々の制御素子が搭載された回路基板を収納してなる遊技機用制御装置であって、
前記収納ケースに開口を開設し、当該開口を介して前記収納ケース内へ風を送り込むためのファンを前記収納ケースに取り付け、さらに前記ファンと前記収納ケースとの間にファンが生じる振動を緩衝するための緩衝部材を介在させたことを特徴とする遊技機用制御装置。
【請求項２】
前後方向へ風を送るファン及びファンを駆動するための駆動機構を内蔵したファン本体と、
前記ファン本体の前面、及び前記ファン本体の後面又は側面に夫々設置される緩衝部材と、
後面に前記ファンを露出させるための窓を有するとともに前面に開口を有する箱状で、前記ファン本体の前面のみを露出させた状態で組み付けられるカバー部材と
からなるファンユニットが、
前記収納ケースと前記ファン本体との間、及び前記ファン本体と前記カバー部材との間に前記緩衝部材を介在させた状態で前記カバー部材を前記収納ケースに固定することにより取り付けられていることを特徴とする請求項１に記載の遊技機用制御装置。
【請求項３】
前後方向へ風を送るファン及びファンを駆動するための駆動機構を内蔵したファン本体と、
後面に前記ファンを露出させるための窓を有するとともに前面に開口を有する箱状で、前記ファン本体の前面のみを露出させた状態で組み付けられるカバー部材と、
該カバー部材に設置される緩衝部材と
からなるファンユニットが、
前記カバー部材と前記収納ケースとの間に緩衝部材を介在させた状態で、係止部を有する取付部材又は前記カバー部材に設けた係止部を有する取付部を用いて前記カバー部材を前記収納ケースに係止固定することにより取り付けられていることを特徴とする請求項１に記載の遊技機用制御装置。
【請求項４】
収納ケース内に通気可能なダクトを設け、当該ダクト内に、制御素子が発した熱を放熱するためのフィンを複数有する放熱部材を設置する一方、
前記ダクトの一端となる位置に開口を設け、ファンにより前記ダクト内へ風を送り込むようにするとともに、前記ダクトの他端となる位置に、前記ダクト内へ送り込まれた風を前記収納ケース外部へ排出するための排出口を設けたことを特徴とする請求項１〜３の何れかに記載の遊技機用制御装置。
【請求項５】
前面が遊技球を流下させる遊技領域となる遊技盤の後方に、請求項１〜４の何れかに記載の遊技機用制御装置を備えたことを特徴とする遊技機。
【発明の詳細な説明】
【技術分野】
【０００１】
本発明は、各種回路基板等を内蔵する遊技機用制御装置、及び該遊技機用制御装置を搭載した遊技機に関するものである。
【背景技術】
【０００２】
近年、たとえば特許文献１に記載されているように、遊技盤全体を透明な合成樹脂により成形し、遊技盤の略全面を表示画面とするような図柄表示装置を備えたパチンコ機が考案されている。しかしながら、遊技盤を合成樹脂により成形していると、熱により遊技盤が変形してしまうといった問題があり、たとえばアクリル製の遊技盤では、遊技盤の後面が膨張して全体的に１．０ｍｍ〜２．０ｍｍ近くも撓み、遊技釘同士の間隔が狭くなりすぎる等して各種入賞口等への遊技球の入賞が不可能になってしまうといった事態も起こり得ることが判明した。これには、遊技盤の後方に設置されている遊技機用制御装置が生じる熱が上述の如き遊技盤の変形を生じさせる要因の一つとして考えられている。
そこで、遊技機用制御装置が生じる熱を効率良く除熱すべく、たとえば特許文献２に開示されているように、回路基板上に搭載されている電子部品に接触するように放熱板を設置するとともに、風により当該放熱板を冷却する冷却ファンを遊技機用制御装置の収納ケースに取り付けるような構成が提案されている。
【０００３】
【特許文献１】特開２００４−２５４９０１号公報
【特許文献２】特開２００６−３４７７５号公報
【発明の開示】
【発明が解決しようとする課題】
【０００４】
しかしながら、特許文献２の構成では、冷却ファンを動作させることにより生じる振動に起因して、収納ケース内に内蔵されたＲＯＭ等の制御素子に動作不良が生じるおそれがある。また、冷却ファンの振動により収納ケース等から雑音が生じるという問題もある。
【０００５】
そこで、本発明は、ファンを取り付けるにあたり、該ファンにて生じる振動の収納ケースへの伝播を低減することで、当該振動により生じる上記問題を解決可能とした遊技機用制御装置、及び該遊技機用制御装置を搭載した遊技機を提供しようとするものである。
【課題を解決するための手段】
【０００６】
上記目的を達成するために、本発明のうち請求項１に記載の発明は、収納ケース内に、遊技に係る制御を行う種々の制御素子が搭載された回路基板を収納してなる遊技機用制御装置であって、前記収納ケースに開口を開設し、当該開口を介して前記収納ケース内へ風を送り込むためのファンを前記収納ケースに取り付け、さらに前記ファンと前記収納ケースとの間にファンが生じる振動を緩衝するための緩衝部材を介在させたことを特徴とする。
請求項２に記載の発明は、請求項１に記載の発明において、前後方向へ風を送るファン及びファンを駆動するための駆動機構を内蔵したファン本体と、前記ファン本体の前面、及び前記ファン本体の後面又は側面に夫々設置される緩衝部材と、後面に前記ファンを露出させるための窓を有するとともに前面に開口を有する箱状で、前記ファン本体の前面のみを露出させた状態で組み付けられるカバー部材とからなるファンユニットが、前記収納ケースと前記ファン本体との間、及び前記ファン本体と前記カバー部材との間に前記緩衝部材を介在させた状態で前記カバー部材を前記収納ケースに固定することにより取り付けられていることを特徴とする。
請求項３に記載の発明は、請求項１に記載の発明において、前後方向へ風を送るファン及びファンを駆動するための駆動機構を内蔵したファン本体と、後面に前記ファンを露出させるための窓を有するとともに前面に開口を有する箱状で、前記ファン本体の前面のみを露出させた状態で組み付けられるカバー部材と、該カバー部材に設置される緩衝部材とからなるファンユニットが、前記カバー部材と前記収納ケースとの間に緩衝部材を介在させた状態で、係止部を有する取付部材又は前記カバー部材に設けた係止部を有する取付部を用いて前記カバー部材を前記収納ケースに係止固定することにより取り付けられていることを特徴とする。
請求項４に記載の発明は、請求項１〜３の何れかに記載の発明において、収納ケース内に通気可能なダクトを設け、当該ダクト内に、制御素子が発した熱を放熱するためのフィンを複数有する放熱部材を設置する一方、前記ダクトの一端となる位置に開口を設け、ファンにより前記ダクト内へ風を送り込むようにするとともに、前記ダクトの他端となる位置に、前記ダクト内へ送り込まれた風を前記収納ケース外部へ排出するための排出口を設けたことを特徴とする。
また、上記目的を達成するために、請求項５に記載の発明は、前面が遊技球を流下させる遊技領域となる遊技盤の後方に、請求項１〜４の何れかに記載の遊技機用制御装置を備えたことを特徴とする遊技機である。
【発明の効果】
【０００７】
本発明に係る遊技機用制御装置よれば、収納ケースに開口を開設し、当該開口を介して収納ケース内へ風を送り込むためのファンを収納ケースに取り付け、さらにファンと収納ケースとの間にファンが生じる振動を緩衝するための緩衝部材を介在させている。したがって、ファンを回転駆動した際、ファンが振動するものの、当該振動の収納ケースへの伝播は低減されることになる。したがって、ファンの振動に起因して遊技機用制御装置に不具合が生じるおそれもないし、収納ケースが振動して雑音が生じる等といったこともない。
また、請求項４に記載の発明によれば、収納ケース内にダクトを形成し、当該ダクト内に、制御素子が発した熱を放熱するためのフィンを複数有する放熱部材を設置するとともに、該ダクトの一端に開口を開設し、ファンによりダクト内へ風を送り込むようにするとともに、ダクトの他端となる位置に、ダクト内へ送り込まれた風を収納ケース外部へ排出するための排出口を設けている。このように収納ケース内に通気可能なダクトを形成し、当該ダクト内に放熱部材を設置することで、収納ケース内へただ風を送り込むものと比較して、風を効率良く放熱部材に吹き付けることができ、放熱部材の除熱、すなわち遊技機用制御装置内の温度上昇の抑制の向上を図ることができる。さらに、遊技機に設置した際、遊技機内の温度上昇を抑制することができ、ひいては該温度上昇に起因した各種部材の熱変形等を効果的に防止することができる。
一方、本発明に係る遊技機によれば、請求項１〜４の何れかに記載の遊技機用制御装置を、前面が遊技球を流下させる遊技領域となる遊技盤の後方に備えている。したがって、ファンの振動に起因して遊技中に動作不良が生じるといったおそれもないし、雑音により遊技が不快になるといったこともない。また、ダクト内に放熱部材が設置された遊技機用制御装置を備えた遊技機にあっては、遊技盤後方の温度上昇を抑制することができ、たとえ遊技盤を木板に比べて熱変形しやすい合成樹脂により成形したとしても当該遊技盤の熱変形を防止することができる。
【発明を実施するための最良の形態】
【０００８】
以下、本発明の実施形態となる遊技機用制御装置（以下、単に制御装置と称す）、及び当該制御装置を搭載した遊技機について、図面をもとに説明する。尚、本実施形態においては、遊技機の一例であるパチンコ機について説明する。
【０００９】
［実施例１］
図１は、第１実施例のパチンコ機１の前面を示した説明図である。図２は、遊技盤１０を後方から示した説明図であり、図３は、遊技盤１０を左側方から示した説明図、図４は、遊技盤１０を上方から示した説明図である。
【００１０】
まず、パチンコ機１の全体的な構造について説明する。
パチンコ機１は、パチンコ機１本体を支持する機枠２に、金属製のフレーム状部材であるミドル枠（図示せず）を介して遊技盤１０を設置するとともに、該遊技盤１０の前方を閉塞可能な前扉３を片開き自在に取り付けてなるものである。そして、該前扉３により閉塞される遊技盤１０の前方空間（遊技盤１０の前面）が、遊技球が流下する略円形の遊技領域１１となっている。
【００１１】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１には、多数の遊技釘１９、１９・・（図２に示す）、遊技球が通過可能なゲート部材１４、一対の爪片を開閉動作可能に備えたチューリップ式電動役物１５、開閉動作可能な扉部材を有する大入賞装置１６、遊技球が入賞可能な入賞部材１７、１７・・、風車１８等が設置されている。
さらに、遊技領域１１の略中央部には、遊技球を左右へ揺動可能なステージ部材２０が設置されているとともに、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
【００１２】
一方、遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「０」〜「９」の数字や各種絵柄等からなる「図柄」を図柄表示領域２２内に表示させるための液晶表示装置４１、遊技に係る制御（たとえば、所謂「大当たり抽選」や液晶表示装置４１における表示制御等）を行う制御装置４２等が後述するような状態で設置されている。
【００１３】
以上のようなパチンコ機１では、遊技者によって発射ハンドル６が回動操作されると、発射装置が作動して遊技球が遊技領域１１内へ打ち込まれる。そして、遊技領域１１を流下する遊技球がチューリップ式電動役物１５へ入賞すると、制御装置４２にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１４】
次に、遊技盤１０について説明する。
遊技盤１０は、透明な合成樹脂（たとえば、アクリル樹脂）により成形された板部材３１と、板部材３１よりも耐熱性を有する合成樹脂（たとえば、ポリカーボネート）により成形された格子状部材３２とからなり、格子状部材３２を、板部材３１の後面側で、遊技領域１１の周囲となる位置に固着して構成されている。
【００１５】
そして、格子状部材３２の後面には、取付部材３３や取付金具３４等を介して液晶表示装置４１が取り付けられている。液晶表示装置４１は、前面に開口を有する箱状の液晶支持部材４１ａに支持されており、その前面開口から図柄表示部を露出させた状態で図柄表示領域２２の後方に位置されている。また、液晶表示装置４１は、その後面が金属板で形成されており、該金属板には更に後方へ突出する突起部４１ｃ、４１ｃが設けられている。そのため、液晶支持部材４１ａによる支持状態において、液晶表示装置４１の後面（すなわち金属板）と液晶支持部材４１ａの後面との間には、隙間４４が形成されている。さらに、液晶支持部材４１ａの後面上部には、誘導壁４１ｂが後述する制御装置４２のスリット（排出口）４２ｄ、４２ｄ・・の上方へ突出するように切り起こし形成されており、スリット４２ｄ、４２ｄ・・から吹き出される風を隙間４４内へ導くようになっている。尚、液晶支持部材４１ａには、隙間４４と連通する図示しない複数のスリットも開設されており、誘導壁４１ｂにより隙間４４内へ導かれた風を、それらスリットから液晶支持部材４１ａ外部へ排出するようになっている。
【００１６】
また、液晶支持部材４１ａの上部が固着される取付部材３３の誘導壁４１ｂ上方位置には、スリット４２ｄ、４２ｄ・・の上方を覆うような庇状の風受け部材４７が突設されている。さらに、該取付部材３３には、風受け部材４７の庇内部と液晶表示装置４１前方の空間４８とを連通する連通路が設けられており、スリット４２ｄ、４２ｄ・・から吹き出されて風受け部材４７が受けた風を、液晶表示装置４１の前方と板部材３１の後方との間の空間４８へ導くようになっている。
【００１７】
さらに、上記液晶表示装置４１の後面には、遊技に係る制御を行う制御装置４２が設置されている。ここで、本発明の要部となる制御装置４２について説明する。図５は、制御装置４２を後方から示した斜視説明図であり、図６は、ファンユニット４５が取り外された制御装置４２を示した斜視説明図、図７は、ファンユニット４５を示した説明図である。
【００１８】
制御装置４２は、合成樹脂製の収納ケース５０内に、ＣＰＵやＲＯＭ等の各種制御素子４２ｂ、４２ｂ・・が搭載された制御基板（回路基板）４２ａを収納したものである。また、収納ケース５０内には、収納ケース５０の後面（収納ケース５０後面内側）から前方（収納ケース５０内方）へ向かい、一つの壁片４２ｅ、４２ｅが制御基板４２ａ近傍位置まで突設されている。そして、当該壁片４２ｅ、４２ｅ、及び収納ケース５０の後面により囲まれたＬ字状の空間がダクト４２ｃとなっている。
【００１９】
さらに、収納ケース５０の後面下部でダクト４２ｃの一端となる位置には、開口５１が開設されており、該開口５１内の四隅には、後述するファンユニット４５を取り付けるための取付片５２、５２・・が設けられている。また、ダクト４２ｃ内には、制御素子４２ｂ、４２ｂ・・が発する熱を放熱すべく制御基板４２に固着された複数のヒートシンク（放熱部材）４３、４３・・があり、そのうちの一つのヒートシンク４３は、開口５１から露出した状態となっている。各ヒートシンク４３は、図２における正面視が長方形状となるフィンを、同一方向へ向けて複数並設してなるもので、風の流動方向とフィンの長手方向とが平行となるような姿勢で夫々制御基板４２に固着されている。一方、ダクト４２ｃの他端は収納ケース５０の上面に連結されている。そして、当該連結位置には複数のスリット４２ｄ、４２ｄ・・が開設されており、ダクト４２ｃ内を流動してきた風をダクト４２ｃ外（すなわち、制御装置４２外）へ排出可能としている。
【００２０】
加えて、収納ケース５０の開口５１には、露出するヒートシンク４３に向かって風を直接吹き付けながらダクト４２ｃ内へ送り込むためのファンユニット４５が取り付けられている。該ファンユニット４５は、正面視が開口５１よりも若干小型のファン本体４５ａと、該ファン本体４５ａの前面及び後面に組み付けられるフレーム部材４５ｂと、該フレーム部材４５ｂに載置される緩衝部材４５ｃ、４５ｃ・・と、ファン本体４５ａを覆うように取り付けられるカバー部材４５ｄとからなる。
【００２１】
ファン本体４５ａは、ファン及びファンを回転駆動するための駆動機構を基台内に内蔵してなるもので、ファンの回転により後方から前方へ風を送るような姿勢で取り付けられる。さらに、ファン本体４５ａの基台四隅には、基台前面と後面とに亘って貫通する挿通孔４５ｅ、４５ｅ・・が穿設されている。
フレーム部材４５ｂは、ファン本体４５ａの前面及び後面を覆うように組み付けられるものであって、該フレーム部材４５ｂの前面部及び後面部における略中央には、ファンを露出するための窓が開設されている。また、フレーム部材４５ｂの前面部及び後面部の四隅には、緩衝部材４５ｃを載置するための載置部４５ｆ、４５ｆ・・が設けられている。尚、フレーム部材４５ｂの前面部と後面部とは、挿通孔４５ｅ、４５ｅ・・内を挿通する連結部（図示せず）によって連結されている。
【００２２】
緩衝部材４５ｃは、ファンの回転駆動時に生じる振動を緩衝して当該振動の収納ケース５０への伝播を低減するためのものであって、合成樹脂（たとえば、シリコンスポンジやエラストマー等）を矩形体に成形してなる。また、各緩衝部材４５ｃは、正面視が各載置部４５ｆよりも一回り大きな方形状となっており、該緩衝部材４５ｃを載置部４５ｆに載置した際、緩衝部材４５ｃの側部や上部（又は下部）が、載置部４５ｆ及びファン本体４５ａよりも外方へ突出するようになっている。さらに、各緩衝部材４５ｃは、載置部４５ｆに載置した際、該緩衝部材４５ｃは、フレーム部材４５ｂよりも前方（又は後方へ）突出する前後方向への厚みを有している。尚、緩衝部材４５ｃは、載置部４５ｆへ載置するのみであり、接着等の固着は行わない。
カバー部材４５ｄは、ファン本体４５ａをその前面のみを露出した状態で覆うように組み付けられる箱状体であり、その後面には、フレーム部材４５ｂ同様、ファンを露出するための窓が開設されている。該カバー部材４５ｄは、図示しないネジ止め部を有しており、ファン４５ａを覆った組み付け状態にてビス等により制御装置４２の収納ケース５０へ固着可能となっている。尚、カバー部材４５ｄの組み付け状態にあっては、カバー部材４５ｄの後面及び側面（どちらも内面）と緩衝部材４５ｃ、４５ｃ・・とが当接した状態となり、カバー部材４５ｄが直接フレーム部材４５ｂやファン本体４５ａと当接し支持することはない。
【００２３】
ここで、上記構成を有するファンユニット４５の組み立て及び収納ケース５０への取り付けについて説明する。
まず、ファン本体４５ａに対してフレーム部材４５ｂを組み付ける。次に、フレーム部材４５ｂの載置部４５ｆ、４５ｆ・・に緩衝部材４５ｃ、４５ｃ・・を載置する。その後、フレーム部材４５ｂの前面側の緩衝部材４５ｃ、４５ｃ・・を収納ケース５０の開口５１内にある取付片５２、５２・・に当接させ、該状態にてカバー部材４５ｄをファン本体４５ａの後面を覆うように組み付け、収納ケース５０に固着する。
【００２４】
このようにしてファンユニット４５を組み立て及び取り付けることで、取付片５２、５２・・（すなわち収納ケース５０）とカバー部材４５ｄとにより、緩衝部材４５ｃ、４５ｃ・・のみを介してフレーム部材４５ｂが挟持され、該フレーム部材４５ｂにファン本体４５ａが支持された状態で、ファンユニット４５は開口５１を覆うようにして取り付けられることになる。そのため、ファンを回転駆動させると、制御装置４２外部にある空気を風としてヒートシンク４３へ直接吹き付けながらダクト４２ｃ内へ送り込むことができる。この時、ファン本体４５ａに振動が生じるものの、ファン本体４５ａは、緩衝部材４５ｃ、４５ｃ・・のみを介して挟持されたフレーム部材４５ｂに支持されているため、ファン本体４５ａの振動の制御装置４２への伝播は低減される。
【００２５】
次に、以上のように構成される遊技盤１０、液晶表示装置４１、及び制御装置４２における除熱について説明する。
まず、ファンを回転駆動させると、上述の如くしてダクト４２ｃ内へ風が送り込まれる。そして、当該風により、制御素子４２ｂ、４２ｂ・・が発した熱を吸収しているヒートシンク４３、４３・・を除熱し、制御装置４２内の温度上昇が抑制される。
また、ダクト４２ｃ内へ送り込まれた風は、スリット４２ｄ、４２ｄ・・を介して外部に排出される。そして、その排出された風の一部を、スリット４２ｄ、４２ｄ・・上方へ突出された誘導壁４１ｂにより隙間４４内へ導くことで、液晶表示装置４１の金属板を除熱する。尚、隙間４４内へ導かれた風は、図示しないスリットから液晶支持部材４１ａが部へ排出される。
さらに、スリット４２ｄ、４２ｄ・・から排出され、且つ、誘導壁４１ｂに遮られることなく風受け部材４７まで到達した風を、連通路を介して空間４８へ導くことで、板部材３１の後面をも除熱する。
【００２６】
以上、本実施例のパチンコ機１によれば、制御装置４２内にダクト４２ｃを形成し、ダクト４２ｃ内に複数のヒートシンク４３、４３・・を設置するとともに、該ダクト４２ｃの一端にファンユニット４５を取り付けており、ダクト４２ｃ内へ風を送り込むことでヒートシンク４３、４３・・の除熱、すなわち制御装置４２内の温度上昇の抑制を図っている。したがって、遊技盤１０後方の温度上昇を抑制することができ、ひいては該温度上昇に起因した遊技盤１０の熱変形を効果的に防止することができる。
【００２７】
また、収納ケース５０内に、収納ケース５０の後面から前方へ向かい、一対の壁片４２ｅ、４２ｅを制御基板４２ａの近傍位置まで突設し、当該壁片４２ｅ、４２ｅ、及び収納ケース５０の後面により囲まれた空間をダクト４２ｃとしている。したがって、制御装置４２ａ内にダクト４２ｃを設けるにあたり、別途部材を設置したりする必要がなく、部品点数を削減することができるし、制御装置４２ａの組み立てに応じて自然とダクト４２ｃが形成されるため、ダクト４２ｃの設置作業の簡略化を図ることができる。
【００２８】
さらに、ヒートシンク４３を、図２における正面視が長方形状となるフィンを同一方向へ向けて複数並設してなるものとし、風の流動方向とフィンの長手方向とが平行となるような姿勢で制御基板４２に固着している。したがって、風による放熱フィンの除熱を極めて効率良く行うことができ、制御装置４２における除熱効果の向上、すなわち遊技盤１０の熱変形防止効果の向上を図ることができる。
【００２９】
さらにまた、収納ケース５０にファンユニット４５を取り付けるにあたり、ファン本体４５ａを支持するフレーム部材４５ｂと収納ケース５０との間に緩衝部材４５ｃ、４５ｃ・・を介在させている。そのため、ファンを回転駆動した際、ファン本体４５ａに振動が生じるものの、当該振動の収納ケース５０への伝播は低減されることになる。したがって、ファン本体４５ａの振動に起因して制御装置４２に不具合が生じるおそれもないし、制御装置４２が振動して雑音が生じる等といったこともない。
【００３０】
またさらに、液晶表示装置４１の後面の金属板及び板部材３１の後面の除熱をも行うようにしているとともに、該除熱を、ファンユニット４５によりダクト４２ｃ内へ送り込まれる風を用いて行っている。したがって、極めて合理的な構成で、高い熱変形防止効果を奏することができる。
加えて、このようにして遊技盤１０の除熱を行うことにより、遊技盤１０の板部材３１として、従来の木製の遊技盤と比較すると熱変形しやすいアクリル樹脂製等の遊技盤であっても何ら問題なく採用することが可能となる。
【００３１】
［実施例２］
次に、本発明の第２実施例となるパチンコ機に取り付けられる制御装置６２について、図８〜図１０をもとに説明する。図８は、制御装置６２を後方から示した斜視説明図であり、図９は、ファンユニット６５が取り外された制御装置６２を示した斜視説明図、図１０は、ファンユニット６５を示した説明図である。尚、第２実施例となるパチンコ機のパチンコ機本体や遊技盤、液晶表示装置等における除熱機構は第１実施例に記載のパチンコ機と略同様となっており、その詳細な説明を省略する。
【００３２】
制御装置６２も、上記第１実施例の制御装置４２同様、合成樹脂製の収納ケース７０内に、種々の制御素子が搭載された制御基板を収納したものである。そして、収納ケース７０後面からは一対の壁片６２ｅ、６２ｅが制御基板の近傍位置まで突設されており、当該壁片６２ｅ、６２ｅ、及び収納ケース７０の後面により囲まれたＬ字状の空間がダクト６２ｃとされている。
【００３３】
また、収納ケース７０の後面下部でダクト６２ｃの一端となる位置には、開口７１が開設されている。さらに、収納ケース７０後面の開口７１の左右両縁部には、後述するファンユニット６５を取り付けるための一対の取付凸部７２、７２が設けられており、各取付凸部７２には、図示しない先端に係止部を有するピン状の取付部材を挿通可能な取付孔７２ａが穿設されている。さらに、ダクト６２ｃ内には、上記第１実施例と同様にして、複数のヒートシンク４３が設置されている。一方、ダクト６２ｃの他端は収納ケース７０の上面に連結されており、当該連結位置には、ダクト６２ｃ内を流動してきた風を外部へ排出するための複数のスリット６２ｄ、６２ｄ・・が開設されている。
【００３４】
加えて、収納ケース７０の開口７１には、露出するヒートシンク４３に向かって風を直接吹き付けながらダクト６２ｃ内へ送り込むためのファンユニット６５が取り付けられている。該ファンユニット６５は、正面視が開口７１よりも若干小型のファン本体６５ａと、該ファン本体６５ａを覆うように取り付けられるカバー部材６５ｄと、カバー部材６５ｄと収納ケース７０との間に介在される緩衝部材６５ｃ、６５ｃ・・とからなる。
【００３５】
ファン本体６５ａは、上記第１実施例で用いるものと略同様に構成されたものであって、内蔵されたファンの回転により後方から前方へ風を送るような姿勢で取り付けられる。また、ファン本体６５ａの基台四隅には、基台前面と後面とに亘って貫通する挿通孔６５ｊ、６５ｊ・・が穿設されている。
緩衝部材６５ｃは、第１実施例で用いたもの同様、合成樹脂（たとえば、シリコンスポンジやエラストマー等）を矩形体に成形してなる。そして、該緩衝部材６５ｃは、後述するカバー部材６５ｄの緩衝部材収納部６５ｅ内に貼着されて収納される。この収納状態において緩衝部材６５ｃの前面は、緩衝部材収納部６５ｅよりも前方へ突出しており、カバー部材６５ｄの収納ケース７０への取り付け（すなわち、ファンユニット６５の取り付け）時に、収納ケース７０後面とカバー部材６５ｄとの間に介在してファンの回転駆動時に生じる振動を緩衝し、当該振動の収納ケース７０への伝播を低減するようになっている。
【００３６】
カバー部材６５ｄは、ファン本体６５ａをその前面のみを露出した状態で収納するように組み付けられる箱状体であり、その前面開口周縁部には、収納されたファン本体６５ａに係止して該ファン本体６５ａを収納状態で保持するための係止爪片６５ｆ、６５ｆ・・が設けられている。また、カバー部材６５ｄの上面及び左右両側面には、収納ケース７０への取付状態において開口７１よりも外方へ突出する緩衝部材収納部６５ｅ、６５ｅ・・が設けられている。各緩衝部材収納部６５ｅは、前面に開口する箱状に形成されており、内部に緩衝部材６５ｃを収納可能となっている。
さらに、カバー部材６５ｄの左右両側面で緩衝部材収納部６５ｅの上方には、収納ケース７０後面に設けられた取付凸部７２に嵌合する取付凹部６５ｇが連設されている。該取付凹部６５ｇには、ピン状の取付部材を挿通可能な丸孔６５ｈが穿設されており、該丸孔６５ｈ及び取付孔７２ａに取付部材を挿通させ、該取付部材先端の係止部を収納ケース７０に係止させることにより、収納ケース７０へ取り付け可能となっている。加えて、カバー部材６５ｄの後面には、ファンを露出するための窓が開設されているとともに、後面四隅には、ファン本体６５ａの収納時に挿通孔６５ｊ、６５ｊ・・に挿通して位置決めするための位置決めピン６５ｋが突設されている。
【００３７】
ここで、上記構成を有するファンユニット６５の組み立て及び収納ケース７０への取り付けについて説明する。
まず、カバー部材６５ｄ内にファン本体６５ａを収納する。このとき、位置決めピン６５ｋがファン本体６５ａの挿通孔６５ｊに挿通することで、ファン本体６５ａは適位置に位置決めされる。その後、係止爪片６５ｆ、６５ｆ・・によりファン本体６５ａを係止・保持させれば、ファン本体６５ａのカバー部材６５ｄ内への収納は完了となる（図１０（ｂ））。
次に、各緩衝部材収納部６５ｅに緩衝部材６５ｃを貼着して収納する。その後、収納ケース７０の取付凸部７２とカバー部材６５ｄの取付凹部６５ｇとを嵌合し、緩衝部材６５ｃを収納ケース７０後面に当接させた状態とする。そして最後に、取付部材を用いて収納ケース７０とファンユニット６５とを連結することにより、ファンユニット６５の収納ケース７０への取付作業は完了となる。尚、当該取付状態において、カバー部材６５ｄの開口周縁等と収納ケース７０後面との間には若干隙間があいている。
【００３８】
このようにしてファンユニット６５を組み立て及び取り付けることで、ファンを回転駆動させると、制御装置６２外部にある空気を風としてヒートシンク４３へ直接吹き付けながらダクト６２ｃ内へ送り込むことができる。この時、ファン本体６５ａに振動が生じるものの、ファン本体６５ａを支持するカバー部材６５ｄと収納ケース７０後面との間に緩衝部材６５ｃ、６５ｃ・・が介在されているとともに、カバー部材６５ｄがピン状の取付部材による係止にて収納ケース７０に取り付けられている（カバー部材６５ｄと収納ケース７０との接触点が最小限とされている）ため、緩衝部材６５ｃ等によりファン本体６５ａの振動の制御装置６２への伝播は低減される。
【００３９】
以上のような構成を有する制御装置６２によれば、制御装置６２内にダクト６２ｃが形成され、ダクト６２ｃ内に複数のヒートシンク４３、４３・・が設置されるとともに、該ダクト６２ｃの一端にファンユニット６５が取り付けられている。そして、ダクト６２ｃ内へ風を送り込むことでヒートシンク４３、４３・・の除熱、すなわち制御装置６２内の温度上昇の抑制を図っている。したがって、遊技盤後方の温度上昇を抑制することができ、ひいては該温度上昇に起因した遊技盤の熱変形を効果的に防止することができる。さらに、第１実施例に記載のタイプ同様、ダクト６２ｃの設置作業の簡略化、ヒートシンク４３の設置態様による制御装置６２における除熱効果の向上等といった効果もある。
【００４０】
また、制御装置６２の収納ケース７０にファンユニット６５を取り付けるにあたり、ファン本体６５ａを支持するカバー部材６５ｄと収納ケース７０との間に緩衝部材６５ｃ、６５ｃ・・を介在させているとともに、カバー部材６５ｄの固定にピン状の取付部材を用いている。そのため、ファンを回転駆動した際、ファン本体６５ａに振動が生じるものの、当該振動の収納ケース７０への伝播は低減されることになる。したがって、ファン本体６５ａの振動に起因して制御装置６２に不具合が生じるおそれもないし、制御装置４２が振動して雑音が生じる等といったこともない。
【００４１】
なお、本発明の制御装置及び遊技機に係る構成は、上記実施形態に記載の態様に何ら限定されるものではなく、収納ケース、ダクト、スリット、ヒートシンク、ファンユニット、及び遊技盤に係る構成について、本発明の趣旨を逸脱しない範囲で必要に応じて適宜変更可能である。
【００４２】
たとえば、上記実施形態では、収納ケース内に一対の壁片を突設し、該壁片間をダクトとしているが、収納ケース内には一の壁片しか突設せず、当該壁片と収納ケースの側面（左右側面、上面又は下面等が考えられる）との間をダクトとすることも可能である。
また、制御装置の下方で、チューリップ式電動役物や大入賞装置の後方となる位置等に別個ファンユニットを取り付け、板部材の後面の当該位置へ直接風を吹き付けて除熱するようにしてもよい。
さらに、制御装置の上方位置に別個ファンユニットを設置し、制御装置の除熱に用いるファンユニットと遊技盤の後面を除熱するファンユニットとを別個とするようにしてもよく、その際、必要がなければ誘導壁を設けずともよい。
【００４３】
さらにまた、ダクトやファンユニット等からなる除熱機構は、遊技機に設置される制御装置であれば、上記実施形態に記載の制御装置（所謂、メイン制御装置）以外の制御装置に対しても当然適用可能であって、たとえばサブ統合制御装置、図柄表示制御装置、音声制御装置等の各種制御装置に適用することができる。
またさらに、上記実施形態では、遊技盤を成形する樹脂としてアクリル樹脂を採用しているが、他の合成樹脂を採用しても何ら問題はない。しかしながら、アクリル樹脂を採用した方が、たとえばポリカーボネートを採用した場合と比較すると加工性において優れており、製造コストを安価に抑えることができるというメリットがある。
【００４４】
また、ファンユニットに設ける緩衝部材の設置位置、設置数、素材、形状、大きさ等についても上記実施形態のものに何ら限定されることはなく、適宜変更可能である。さらに、第１実施例においては、緩衝部材をフレーム部材に載置する構成としているが、緩衝部材をフレーム部材に貼着等により固着する構成としてもよいし、緩衝部材を直接ファン本体に取り付ける構成とする（すなわち、フレーム部材を省略する）ことも可能である。
さらにまた、第１実施例においては、緩衝部材によりファン本体とカバー部材とが接触しないように構成しているが、ファン本体の前面と収納ケースとの間及びファン本体の後面とカバー部材との間にのみ緩衝部材を配置（フレーム部材の有無は適宜設計変更可能）して、ファン本体の上下面及び左右両側面はカバー部材と接触しているような構成とすることも可能である。当該構成を採用することで、ファン本体の前後方向（送風方向）への振動を緩衝することができる。一方、ファンの動作によるファンの中心軸（重心）のぶれにより、結果として左右方向への振動が顕著となることも考えられる。そこで、ファン本体の前面と収納ケースとの間及びファン本体の左右両側面とカバー部材との間にのみ緩衝部材を配置（フレーム部材の有無は上記同様）して、ファン本体の上下面及び後面はカバー部材と接触しているような構成とすることも可能である。当該構成を採用することで、上記左右方向への振動を効果的に緩衝することができる。
【００４５】
またさらに、第１実施例において、フレーム部材の前面部と後面部とを連結部により連結する構成としているが、前面部と後面部とを別個にファン本体へ固着するような構成としてもよい。その際、フレーム部材にファン本体の挿通孔内へ挿入可能な突起部を設け、該突起部を利用してファン本体への位置決め及び固着を行うような構成としてもよい。
一方、第２実施例では、ピン状の取付部材によりカバー部材を収納ケースに取り付ける構成としているが、収納ケースに係止可能な係止爪片（係止部を有する取付部）をカバー部材に一体的に設け、該係止爪片によりカバー部材を収納ケースに取り付けるように構成することも可能である。
加えて、上記実施形態に記載の制御装置は、木製の遊技盤を有する遊技機に対しても適用可能であり、当該制御装置を備えることで、従来よりも薄い木板を採用することができ、環境に配慮した遊技機とすることができる。また、本発明に係る制御装置をスロットマシーン等の遊技機に適用することも当然可能である。
【図面の簡単な説明】
【００４６】
【図１】第１実施例のパチンコ機の前面を示した説明図である。
【図２】遊技盤を後方から示した説明図である。
【図３】遊技盤を左側方から示した説明図である。
【図４】遊技盤を上方から示した説明図である。
【図５】第１実施例の制御装置を後方から示した斜視説明図である。
【図６】ファンユニットが取り外された制御装置を示した斜視説明図である。
【図７】ファンユニットを示した説明図である。
【図８】第２実施例の制御装置を後方から示した斜視説明図である。
【図９】ファンユニットが取り外された制御装置を示した斜視説明図である。
【図１０】ファンユニットを示した説明図である。
【符号の説明】
【００４７】
１・・パチンコ機、１０・・遊技盤、３１・・板部材、４１・・液晶表示装置、４１ｂ・・誘導壁、４１ｃ・・突起部、４２、６２・・制御装置、４２ａ・・制御基板、４２ｃ、６２ｃ・・ダクト、４２ｄ、６２ｄ・・スリット、４２ｅ、６２ｅ・・壁片、４３・・ヒートシンク、４４・・隙間、４５、６５・・ファンユニット、４５ａ、６５ａ・・ファン本体、４５ｂ・・フレーム部材、４５ｃ、６５ｃ・・緩衝部材、４５ｄ、６５ｄ・・カバー部材、４５ｅ、６５ｊ・・挿通孔、４５ｆ・・載置部、４７・・風受け部材、４８・・空間、５０、７０・・収納ケース、５１、７１・・開口、５２・・取付片、６５ｅ・・緩衝部材収納部、６５ｆ・・係止爪片、６５ｇ・・取付凹部、６５ｈ・・丸孔、６５ｋ・・位置決めピン、７２・・取付凸部、７２ａ・・取付孔。
【図１】
2009039437.tif 000003
【図２】
2009039437.tif 000004
【図３】
2009039437.tif 000005
【図４】
2009039437.tif 000006
【図５】
2009039437.tif 000007
【図６】
2009039437.tif 000008
【図７】
2009039437.tif 000009
【図８】
2009039437.tif 000010
【図９】
2009039437.tif 000011
【図１０】
2009039437.tif 000012